(57)【特許請求の範囲】
【請求項１】
一側端がヒンジによって互いに回動可能に連結され展開時に底板となる一対の矩形状の収納ボックスと、
一方の収納ボックスの上記一側端と直交する一対の側端に一端がヒンジによってそれぞれ回動可能に設けられた矩形状の区画側板と、
他方の収納ボックスの上記一側端と直交する一対の側端に一端がヒンジによってそれぞれ回動可能に設けられた矩形格子状の区画フェンスと、
上記他方の収納ボックスの一側端及び他側端に一端がヒンジによってそれぞれ回動可能に設けられた矩形状のバリア板と
を有し、
使用時には、上記各収納ボックスを展開するとともに上記各区画側板、各区画フェンス及び各バリア板を展開された上記各収納ボックスに対してほぼ垂直に起立させ、
不使用時には、上記各区画側板、各区画フェンス及び各バリア板を上記各収納ボックス側にほぼ水平に倒伏させ上記一対の収納ボックスを閉じ合わせることで区画側板、区画フェンス及びバリア板を一対の収納ボックスの内側に収納できることを特徴とする折りたたみ式可搬型チェンジングプレース。
【請求項２】
閉じ合わされた上記収納ボックスの一側端にはキャスタを備えた台車が着脱可能に設けられこの収納ボックスを移動自在に支持することを特徴とする請求項１記載の折りたたみ式可搬型チェンジングプレース。
【発明の詳細な説明】
【０００１】
【発明の属する技術分野】
この発明は、例えば原子力発電所の作業現場で衣類等を着替えるための折りたたみ式可搬型チェンジングプレースに関する。
【０００２】
【従来の技術】
一般に、原子力発電所では系統機器の開放点検やバルブの分解点検等が行われる。その際、上記系統機器やバルブ内の放射性物質等を含む塵埃が周囲に飛散することがある。そのため、このような作業を行う場合、作業エリアを区画限定することによって放射能汚染の拡大を防止している。
【０００３】
しかしながら、この作業エリアで作業にあたった作業者の衣類等には、放射性物質等を含む塵埃が付着していることがり、作業エリアを区画限定するだけでは作業者の移動等による放射能汚染の拡大を防止できないことがある。
【０００４】
そこで、上記作業エリアに塵埃逸散防止用の衝立を備えた専用の現場更衣所、すなわちチェンジングプレースを一体化して設営し、作業者が作業エリアから出る際には必ずこのチェンジングプレースで作業時に着用していた衣類等を脱ぐようにしている。なお、上記チェンジングプレースは規則によって定められた区画フェンスを備えている。
【０００５】
現在、市販されているチェンジングプレースには組み立て式のものがある。この組み立て式のチェンジングプレースは複数の部材に分解することで運搬できるようになっている。
【０００６】
【発明が解決しようとする課題】
しかしながら、組み立て式のチェンジングプレースは多くの部材で構成されているため、設営及び撤去をする際、運搬の回数が多くなり、また組み立て及び分解に時間がかかりすぎるということがあった。さらに、撤去後に養生に使用されたシートや難燃シートが廃棄物として発生していた。
【０００７】
この発明は、迅速に設営及び撤去することができるとともに撤去後に廃棄物が発生しない折りたたみ式可搬型チェンジングプレースを提供することにある。
【０００８】
【課題を解決するための手段】
請求項１の発明は、一側端がヒンジによって互いに回動可能に連結され展開時に底板となる一対の矩形状の収納ボックスと、一方の収納ボックスの上記一側端と直交する一対の側端に一端がヒンジによってそれぞれ回動可能に設けられた矩形状の区画側板と、他方の収納ボックスの上記一側端と直交する一対の側端に一端がヒンジによってそれぞれ回動可能に設けられた矩形格子状の区画フェンスと、上記他方の収納ボックスの一側端及び他側端に一端がヒンジによってそれぞれ回動可能に設けられた矩形状のバリア板とを有し、使用時には、上記各収納ボックスを展開するとともに上記各区画側板、各区画フェンス及び各バリア板を展開された上記各収納ボックスに対してほぼ垂直に起立させ、不使用時には、上記各区画側板、各区画フェンス及び各バリア板を上記各収納ボックス側にほぼ水平に倒伏させ上記一対の収納ボックスを閉じ合わせることで区画側板、区画フェンス及びバリア板を一対の収納ボックスの内側に収納できることを特徴とする折りたたみ式可搬型チェンジングプレースにある。
【０００９】
請求項２の発明は、閉じ合わされた上記収納ボックスの一側端にはキャスタを備えた台車が着脱可能に設けられこの収納ボックスを移動自在に支持することを特徴とする請求項１記載の折りたたみ式可搬型チェンジングプレースにある。
【００１０】
この発明によれば、チェンジングプレースの運搬、組立て及び分解を迅速かつ容易に行うことができる。
【００１１】
【発明の実施の形態】
以下、図面を参照しながらこの発明の一実施の形態を説明する。
【００１２】
図１に示す折りたたみ式可搬型チェンジングプレース１（以下ｃ／ｐ）は一対の同一構造の収納ボックス２ａ、２ｂを有する。各収納ボックス２ａ、２ｂは、一側面が開口した扁平な矩形箱体からなり、長手方向に沿う一側縁が図示しないヒンジとしての蝶番によって互いに連結されることで所定の角度、つまり図１に示す展開状態と互いの開口面を接合させた閉じ状態との間でほぼ１８０度にわたって回動可能となっている。
【００１３】
一方の収納ボックス２ａの長手方向両側端には、それぞれほぼ矩形状の区画側板３の一端が幅方向に離間して配置された一対のヒンジ１１によって連結されている。各ヒンジ１１は、図２に示すように同じ構成を有する一対の連結金具１２と図示しないピンとからなる。
【００１４】
各連結金具１２は帯板状の取り付け板１３を有し、この取り付け板１３の長手方向一端部側には軸受部１４が上記取り付け板１３の長手方向に沿って突設されている。この軸受部１４には長手方向に沿って図示しない軸受孔が穿設され、その一端は上記取り付け板１３の長手方向他端部側の側面に開口している。
【００１５】
上記ピンの両端部は上記一対の連結金具１２の軸受孔にそれぞれ挿入される。それによって、各連結金具１２はこのピンを回転軸として回動可能に連結され、上記ヒンジ１１を構成している。
【００１６】
各ヒンジ１１を構成する一方の連結金具１２の取り付け板１３は上記収納ボックス２ａの長手方向両側端の側壁４の内面にそれぞれビス１５によって固着され、他方の連結金具１２の取り付け板１３は上記区画側板３の一端面にそれぞれビス１５によって固着されている。
【００１７】
すなわち、上記各区画側板３はそれぞれ上記収納ボックス２ａに対してほぼ垂直に起立した状態と上記収納ボックス２ａ側にほぼ水平に倒伏した状態との間で回動可能となっている。
【００１８】
なお、上記各区画側板３は上記収納ボックス２ａの側壁４にぞれぞれ高さ方向に所定の距離だけずらして連結されている。それによって、これら区画側板３は所定の順序、つまり上記収納ボックス２ａの底側に連結された区画側板３ａを上記収納ボックス２ａ側に倒伏させた後、もう一方の区画側板３ｂを上記収納ボックス２ａ側に倒伏させることで、ほぼ水平に重合した状態で収納ボックス２ａ内に収納されるようになっている。
【００１９】
上記一方の収納ボックス２ａは図示しないロック機構を備えている。それによって、上記各区画側板３を上記収納ボックス２ａに対して起立及び倒伏した状態に維持できるようになっている。
【００２０】
上記一方の収納ボックス２ａの幅方向両側端にはそれぞれ矩形状のバリア板５の一端が上記区画側板３と同様に一対のヒンジ１１によって連結され、上記他方の収納ボックス２ｂの長手方向両側端には矩形格子状の区画フェンス６の一端が同じく一対のヒンジ１１によって連結されている。すなわち、上記各バリア板５及び各区画フェンス６はそれぞれ各収納ボックス２ａ、２ｂに対して回動可能となっている。
【００２１】
上記バリア板５の幅寸法は上記収納ボックス２ｂの幅寸法の半分より小さく設定されている。それによって、上記各バリア板５を同時に収納ボックス２ａ側に倒伏させても、各バリア板５が互いに干渉しないようになっている。
【００２２】
なお、上記各バリア板５及び各区画フェンス６は上記区画側板３と同様に、上記ヒンジ１１を構成する連結金具１２が上記各収納ボックス２ａ、２ｂの側壁４、５に高さ方向にずらして連結されているため、これらを各収納ボックス２ａ、２ｂ側に倒伏させると、各バリア板５及び各区画フェンス６は収納ボックス２ａ、２ｂ内にほぼ水平に重合した状態で収納されるようになっている。
【００２３】
図３に示すように、上記一方の収納ボックス２ａの幅方向他側面には長手方向に離間して一対の取っ手７が設けられ、長手方向両側端の外側面にはそれぞれ幅方向に離間して一対のロック金具８が設けられている。
【００２４】
上記各収納ボックス２ａ、２ｂの閉じ状態における幅方向一側端、すなわち下端部には架台３１が着脱可能に設けられている。この架台３１は、図４に示すように、架台本体３２を有する。この架台本体３２は、コ字形の鋼材からなり、その開口面を上方に向けて配置された支持部材３３の長手方向ほぼ中心部の両側壁外面に、それぞれ同じくコ字形の鋼材からなる左右部材３４の一端を開口面を上方に向けて固着することで平面視ほぼ十字状に形成されている。
【００２５】
上記支持部材３３の下面の長手方向両端部にはそれぞれ自在キャスタ３５が設けられ、上記各左右部材３４の下面にはそれぞれ固定キャスタ３６が設けられている。それによって、上記架台本体３２は床面に対して水平に自立できるとともに移動できるようになっている。
【００２６】
なお、上記支持部材３３の開口部の幅寸法は、上記閉じ状態において収納ボックス２ａ、２ｂがなす厚さ寸法、つまり各収納ボックス２ａ、２ｂの厚さ寸法の２倍よりもやや大きく設定されている。それによって、上記架台３１の支持部材３３の内側には上記閉じ状態における収納ボックス２ａ、２ｂの下端部が嵌合支持されるようになっている。
【００２７】
上記支持部材３３の一方の側壁３３ａの長手方向両端部には、図示しない雌ネジがそれぞれ形成され、各雌ネジには固定ネジ３７がその先端部を上記側壁３３ａの内側面から突出させて螺入されている。
【００２８】
それによって、上記支持部材３３の内側に上記閉じ状態における収納ボックス２ａ、２ｂの下端部を支持させるとともに、上記固定ネジ３７を前進させ、その先端で上記収納ボックス２ａ、２ｂの下端部を押圧することで、上記収納ボックス２ａ、２ｂを上記架台３１に固定できるようになっている。
【００２９】
次に上記構成のｃ／ｐ１を使用する際の作用について説明する。
【００３０】
上記ｃ／ｐ１は閉じ状態で保管される。このｃ／ｐ１を設営する場合、まず保管されていた閉じ状態の上記ｃ／ｐ１を架台３１の支持部材３３の内側に載置し、固定ネジ３７によってその下端部を上記架台３１に固定する。上記ｃ／ｐ１の下端部に上記架台３１を固定したならば、この架台３１の下面側に設けられた各キャスタ３５、３６を転動させながら、上記ｃ／ｐ１を使用場所である原子力発電所内の作業エリア近傍まで運搬する。
【００３１】
上記ｃ／ｐ１を使用場所に運搬した後、このｃ／ｐ１を架台３１から取り外して各収納ボックス２ａ、２ｂを展開する。上記収納ボックス２ａ、２ｂを展開すると、これが底板となる。一方の収納ボックス２ａの幅方向両側端に設けられた各バリア板５をこの収納ボックス２ａに対してほぼ垂直に起立させ、ロック機構でその起立状態を維持させる。
【００３２】
次いで、各収納ボックス２ａ、２ｂの長手方向両側端にそれぞれ設けられた各区画側板３及び各区画フェンス６を上記各収納ボックス２ａ、２ｂに対してほぼ垂直に起立させ、ロック機構でそれぞれの起立状態を維持させる。
【００３３】
各区画側板３、各区画フェンス６及び各バリア板５を起立させたならば、このｃ／ｐ１を、上記一方の収納ボックス２ａが上記作業エリアに隣接するように設置する。以上で上記ｃ／ｐ１の設営が完了する。
【００３４】
上記作業エリア内で作業にあたった作業者は、作業終了後に、設営された上記ｃ／ｐ１の一方の収納ボックス２ａ内で着用していた衣類等を脱ぐ。このとき、上記収納ボックス２ａは上記区画側板３及びガイド板５で囲まれているため、これら区画側板３及びガイド板５が障壁となって、上記衣類等を脱ぐことで衣類等から剥離した放射性物質を含む塵埃が周囲に飛散するのが防止される。
【００３５】
作業が終了し、上記ｃ／ｐ１の撤去する場合、まず各収納ボックス２ａ、２ｂの底側に連結された一方の区画側板３ａ及び区画フェンス６ａをそれぞれ上記各収納ボックス２ａ、２ｂ側に図１に点線で示すように倒伏させる。次いで、他方の区画側板３ｂを上記収納ボックス２ａ側に倒伏させ、上記一方の区画側板３ａ及び区画フェンス６の上面に重合させる。
【００３６】
上記各区画側板３及び区画フェンス６を各収納ボックス２ａ、２ｂ側に倒伏した後、上記各バリア板５を上記一方の収納ボックス２ａ側に倒伏させる。そして、上記各収納ボックス２ａ、２ｂを閉じ合わせ、ロック金具８で各収納ボックス２ａ、２ｂの幅方向他側端を連結する。
【００３７】
上記各収納ボックス２ａ、２ｂが閉じ合わされ１つの箱状にした後、上記ｃ／ｐ１の下端部に架台３１を取り付け、その下面側のキャスタ３５、３６を転動させながら保管場所に運搬する。以上で上記ｃ／ｐ１の撤去が終了する。
【００３８】
上記構成のｃ／ｐ１によれば、各収納ボックス２ａ、２ｂ、各区画側板３、各区画フェンス６及び各バリア板５を連結一体化構造でかつ折りたたみ式とした。そのため、上記ｃ／ｐ１の組み立て及び解体の所要時間を削減することができる。
【００３９】
さらに、上記各区画側板３、各区画フェンス６及び各バリア板５を一対の収納ボックス２ａ、２ｂの内側に収納できるようにした。そのため、上記ｃ／ｐ１の運搬を一度で済ますことができる。
【００４０】
しかも、閉じ状態の上記収納ボックス２ａ、２ｂの下端部にキャスタ３５、３６を備えた架台３１を着脱可能に設けた。そのため、上記ｃ／ｐ１を容易に作業現場に運搬することができる。さらに、上記各収納ボックス２ａ、２ｂ、各区画側板３、各区画フェンス６及び各バリア板５の材質をアルミニウムとすることで総重量を低くおさえた。そのことによっても、上記ｃ／ｐ１の運搬が容易となる。
【００４１】
また、上記ｃ／ｐ１は養生シートを使用しない構成としたため、使用後に廃棄物が発生しない。さらに、構成部品に可燃性のものがないため火気作業エリアで使用することができる。
【００４２】
なお、作業現場には複数のｃ／ｐ１を並設してもよい。こうすることで、多くの作業者が同時に更衣をすることができる。
【００４３】
【発明の効果】
この発明によれば、チェンジングプレースの設営及び撤去を迅速かつ容易に行うことができる。
【図面の簡単な説明】
【図１】この発明の一実施の形態に係る折りたたみ式可搬型チェンジングプレースの構成を示す斜視図。
【図２】図１のＫで示す部分の拡大断面図。
【図３】架台に支持された折りたたみ式可搬型チェンジングプレースの斜視図。
【図４】架台の構成を示す斜視図。
【符号の説明】
２ａ、２ｂ…収納ボックス
３、３ａ、３ｂ…区画側板
５…バリア板
６、６ａ、６ｂ…区画フェンス
【図１】
0003848583.tif 000002
【図２】
0003848583.tif 000003
【図３】
0003848583.tif 000004
【図４】
0003848583.tif 000005